【手続補正書】
【提出日】平成22年2月16日(2010.2.16)
【手続補正１】
【補正対象書類名】特許請求の範囲
【補正対象項目名】全文
【補正方法】変更
【補正の内容】
【特許請求の範囲】
【請求項１】
被写体を透過した放射線に応じた電荷をそれぞれ生成する行列状に配列された画素を有し、デュアルエネルギ撮影に供される放射線変換パネルであって、
第１エネルギによる撮影後及び第２エネルギによる撮影後に、電荷が読み取られる第１画素群と、
前記第２エネルギによる撮影後に、電荷が読み取られる第２画素群と、を備え、
前記第１画素群を構成する画素と、前記第２画素群を構成する画素とが交互に配列されている
ことを特徴とする放射線変換パネル。
【請求項２】
請求項１記載の放射線変換パネルにおいて、
前記第１画素群を構成する画素と、前記第２画素群を構成する画素とが、市松模様に配列されている
ことを特徴とする放射線変換パネル。
【請求項３】
被写体を透過した放射線に応じた電荷をそれぞれ生成する行列状に配列された画素を有する放射線変換パネルを用いて、デュアルエネルギ撮影を行う放射線画像撮影方法において、
前記放射線変換パネルは、第１画素群を構成する各画素と、第２画素群を構成する各画素とが交互に配列されているパネルであって、
まず、高エネルギによる撮影後に、前記第１画素群を構成する各画素に蓄積されている電荷を読み取り、高エネルギ第１画素群データを得るＡ過程と、
次に、低エネルギによる撮影後に、前記第２画素群を構成する各画素に蓄積されている、前記低エネルギと前記Ａ過程後に残存している高エネルギとの合成エネルギとからなる電荷を読み取り、高エネルギ第２画素群データを得るＢ過程と、
次いで、前記第１画素群を構成する各画素に蓄積されている電荷を読み取り、低エネルギ第１画素群データを得るＣ過程と、
前記Ｃ過程で得られた低エネルギ第１画素群データを第２画素群の低エネルギ第２画素群データとしてコピーするＤ過程と、
前記高エネルギ第１及び第２画素群データからなる高エネルギ全画素データと、前記低エネルギ第１及び第２画素群データからなる低エネルギ全画素データとに基づいてサブトラクション画像データを生成するＥ過程と、
を備えることを特徴とするデュアルエネルギ撮影を行う放射線画像撮影方法。
【請求項４】
被写体を透過した放射線に応じた電荷をそれぞれ生成する行列状に配列された画素を有する放射線変換パネルを用いて、デュアルエネルギ撮影を行う放射線画像撮影方法において、
前記放射線変換パネルは、第１画素群を構成する画素と、第２画素群を構成する画素とが交互に配列されているパネルであって、
まず、低エネルギによる撮影後に、前記第１画素群を構成する各画素に蓄積されている電荷を読み取り、低エネルギ第１画素群データを得るａ過程と、
次に、高エネルギによる撮影後に、前記第１及び第２画素群を構成する各画素に蓄積されている電荷を読み取り、高エネルギ全画素データを得るｂ過程と、
前記ａ過程で読み取られた低エネルギ第１画素群データを第２画素群の低エネルギ第２画素群データとしてコピーするｃ過程と、
前記高エネルギ全画素データと、前記低エネルギ第１及び第２画素群データからなる低エネルギ全画素データとに基づいてサブトラクション画像データを生成するｄ過程と、
を備えることを特徴とするデュアルエネルギ撮影を行う放射線画像撮影方法。
【請求項５】
請求項３又は４記載のデュアルエネルギ撮影を行う放射線画像撮影方法において、
前記放射線変換パネルは、
前記第１画素群を構成する画素と、前記第２画素群を構成する画素とが、市松模様に配列されている
ことを特徴とするデュアルエネルギ撮影を行う放射線画像撮影方法。
【手続補正２】
【補正対象書類名】明細書
【補正対象項目名】０００８
【補正方法】変更
【補正の内容】
【０００８】
また、放射線検出器２００は、蓄積・読出回路２０６を制御するゲートドライブ回路２０７と、アクティブマトリックス基板２０２の蓄積・読出回路２０６によって読み出された電荷（検出電荷）を増幅してデジタル画像信号を生成するデジタル画像信号生成部２０８を備えている。
【手続補正３】
【補正対象書類名】明細書
【補正対象項目名】００１０
【補正方法】変更
【補正の内容】
【００１０】
画素２２０による電荷の検出について説明すると、図１２に示すように、バイアス供給電源２２２から出力される数ｋＶ〜数１０ｋＶ程度のバイアス電圧がバイアス電圧給電用のリード線を経由して共通電極２０３から感応型半導体膜２０１に印加され、被写体を透過した放射線Ｘに応じて感応型半導体膜２０１で電荷が生成され、生成された電荷が（詳しくは各個別電極２０５へ移動することで個別電極２０５に電荷が誘起するかたちで）各個別電極２０５ごとに収集される一方、各個別電極２０５で収集される電荷は、アクティブマトリックス基板２０２の蓄積・読出回路２０６により個別電極２０５毎の電荷ｉとして読み出される。
【手続補正４】
【補正対象書類名】明細書
【補正対象項目名】００１１
【補正方法】変更
【補正の内容】
【００１１】
具体的には、ゲートドライブ回路２０７から電気配線２０６ａ経由で読出信号が各ＴＦＴ２０６Ｂのゲートに順番に与えられると同時に、読出信号が与えられている各ＴＦＴ２０６Ｂのソースに繋がっている電気配線２０６ｂがマルチプレクサ２１２によって順に切り換え接続されるのに従って、コンデンサ２０６Ａに蓄積された電荷が、電荷（電流信号）ｉとしてＴＦＴ２０６Ｂから電気配線２０６ｂを経て積分アンプ２１１で増幅された後、マルチプレクサ２１２により各個別電極２０５毎の放射線検出信号としてＡ／Ｄ変換器２１３に送り出されてデジタル画像信号とされる。
【手続補正５】
【補正対象書類名】明細書
【補正対象項目名】００１６
【補正方法】変更
【補正の内容】
【００１６】
これに対して、特許文献３に係るデュアルエネルギサブトラクション技術では、第１回目の撮影に係る低エネルギ画像の読み出しの際には、２×２ビニング処理（行方向に２つ、列方向に２つの画素から１画素のみ画像を読み出す処理）を行い、第２回目の撮影までの放射線画像取得間時間を短縮してモーションアーチファクトの発生を防止することができると記載されているが、低エネルギ画像の画像分解能がその分低下し、その画素セルの２×２ビニング処理時の具体的な回路構成については、何も開示されていない。
【手続補正６】
【補正対象書類名】明細書
【補正対象項目名】００２４
【補正方法】変更
【補正の内容】
【００２４】
この発明に係る低エネルギによる撮影、高エネルギによる撮影の順でデュアルエネルギ撮影を行う放射線画像撮影方法は、被写体を透過した放射線に応じた電荷をそれぞれ生成する行列状に配列された画素を有する放射線変換パネルを用いて、デュアルエネルギ撮影を行う放射線画像撮影方法において、前記放射線変換パネルは、第１画素群を構成する画素と、第２画素群を構成する画素とが交互に配列されているパネルであって、まず、低エネルギによる撮影後に、前記第１画素群を構成する各画素に蓄積されている電荷を読み取り、低エネルギ第１画素群データを得るａ過程と、次に、高エネルギによる撮影後に、前記第１及び第２画素群を構成する各画素に蓄積されている電荷を読み取り、高エネルギ全画素データを得るｂ過程と、前記ａ過程で読み取られた低エネルギ第１画素群データを隣り合う第２画素群の低エネルギ第２画素群データとしてコピーするｃ過程と、前記高エネルギ全画素データと、前記低エネルギ第１及び第２画素群データからなる低エネルギ全画素データとに基づいてサブトラクション画像データを生成するｄ過程と、を備えることを特徴とする。
【手続補正７】
【補正対象書類名】明細書
【補正対象項目名】００２５
【補正方法】変更
【補正の内容】
【００２５】
この発明によれば、ａ過程で、まず、低エネルギによる撮影後に、前記第１画素群を構成する各画素に蓄積されている電荷を読み取り、低エネルギ第１画素群データを得、次に、ｂ過程で、高エネルギによる撮影後に、前記第１及び第２画素群を構成する各画素に蓄積されている電荷を読み取り、高エネルギ全画素データを得るようにしているので、低エネルギ撮影後には、第１画素群のみの電荷を読み取ればよいことになり、高エネルギ撮影までの撮影間隔を短くすることができる。また、ｃ過程で、前記ａ過程で読み取られた低エネルギ第１画素群データを第２画素群の低エネルギ第２画素群データとしてコピーし、ｄ過程で、前記高エネルギ全画素データと、前記低エネルギ第１及び第２画素群データからなる低エネルギ全画素データとに基づいてサブトラクション画像データを生成するようにしているので、分解能を維持したエネルギサブトラクション処理を行うことができる。